Podtech/llm-jp-corpus-v4-ja_patent huggingface dataset:
(57)【要約】      （修正有）【課題】吸盤でカーテンを固定するカーテンにおいて、カーテンを吸盤とピンの間に挟み込んで固定する構造とすることにより、挿入しているピンを抜いて、幾度も脱着させることと使用目的場所に応じ持ち運びも手軽になるカーテンを提供する。【解決手段】カーテンの穴１を吸盤３とピン４の間に挟み込んで、吸着力が弱った場合吸盤３に挿入したピン４を抜いて吸盤３をぬるま湯に浸して、吸着力を復活させ取り付け場所に吸着させて使用する。【選択図】図１
0003176549.tif 000002
【実用新案登録請求の範囲】
【請求項１】
取り外し可能なピンと吸盤のあいだにカーテンとなる素材を挟み、吸着力の弱った吸盤のみをぬるま湯に浸し吸着力を戻して。
再び生地を挟み込み使用する取り外しできるカーテン。
【考案の詳細な説明】
【技術分野】
【０００１】この考案は、取り外し可能なピンと吸盤の間に挟み込み形式のカーテンである。だからカーテン生地と吸盤が分離ができる。
分離したら吸着力の弱った吸盤をぬるま湯に浸して乾かして、吸着力が復活ご再びカーテン生地を吸盤とピンの間に挟み込んで使うことに関するものである。
【背景技術】
【０００２】従来、生地にハドメを設けた穴に吸盤の突起部を挿入するか、吸盤と生地に固定させ取り付けたままの状態だった。
つまり吸盤以外の付属品を必要としない。
【考案の開示】
【考案が解決しようとする課題】
【０００３】これはつぎのような問題点があった。
ハドメに挿入式では、密着性がなくぐらついていて見た目に爽快感がなかった。吸盤とカーテン生地が固定され吸着力が弱くなっても、取り外し不可能な為。付属品を必要とした。
本考案は、以上のような欠点をなくすためになされたものである。
【課題を解決するための手段】
【０００４】吸盤とピンが分離できる吸盤に、カーテン生地を挟み込む。
以上の構成よりなるカーテンである。
【考案の効果】
【０００５】吸着力の弱った吸盤を取り外し再び吸着力を復活させる。
簡単に分離できて見た目にも良くなり。
取り付けも手軽となる。
【考案を実施するための最良の状態】
【０００６】以下、本考案の実施例について説明する。
吸盤とピンが分離できる吸盤に、カーテン生地を挟み込む。
本考案は、以上のような構造でこれを使用するときは。
車内用であれば、ガラス面にそのまま吸着させる。
吸着させたままではないから必要場所にこだわらず。
吸着可能な場所であるならば携帯することも可能となる。
吸着力が弱くなったと感じたら吸盤とカーテンが分離できるから。
吸盤をぬるま湯に浸すことで吸着力が復活できる。
なお、本考案のカーテンによっては。
突起部の高低を変えたり吸着面も安全荷重に応じ変更して良い。
【図面の簡単な説明】
【０００７】
【図１】本考案の斜視図である。
【図２】本考案の使用中の斜視図である。
【図３】使用例と使用場所の斜視図である。
【符号の説明】
【０００８】１  カーテンの穴
２  カーテン
３  吸盤
４  ピン
５  使用例
６  使用場所
【図１】
0003176549.tif 000003
【図２】
0003176549.tif 000004
【図３】
0003176549.tif 000005
【手続補正書】
【提出日】平成24年3月29日(2012.3.29)
【手続補正１】
【補正対象書類名】実用新案登録請求の範囲
【補正対象項目名】全文
【補正方法】変更
【補正の内容】
【実用新案登録請求の範囲】
【請求項１】
分離可能なピンと吸盤の間にカ−テン生地を挟み込んでなるカ−テン
(57)【要約】      （修正有）【課題】停電時などの暗い室内でもありかを目視できる床用マットを提供する。【解決手段】表面のマット本体部とこのマット本体部の裏面に滑り防止材を重ね合わせたマット本体の周囲の一部或は全周に蓄光縁とりテープを周設してなる。【選択図】図１
0003176507.tif 000002
【実用新案登録請求の範囲】
【請求項１】
表面のマット本体部とこのマット本体部の裏面に滑り防止材を重ね合わせたマット本体の周囲の一部或は全周に蓄光縁とりテープを周設してなる床用マット。
【考案の詳細な説明】
【技術分野】
【０００１】
本案は、玄関や階段に使用する床用マットに関する。
【背景技術】
【０００２】
これらの床用マットは、表面のマット本体とこのマット本体の裏面に滑り防止材を重ね合わせたものであるが、停電時などの暗いところでは探し当てるのが困難であり、殊にこれらの床用マットは、玄関とか階段等の様に生活の重要位置に敷かれるのが普通で、停電などの暗いときでも目視できるようにするのが望ましい。
【考案の開示】
【考案が解決しようとする課題】
【０００３】
そこで本考案は、停電時などの暗い室内でも床用マットのありかを目視できるようにし、安全な生活環境を提供しようとするものである。
【課題を解決するための手段】
【０００４】
表面のマット本体部とこのマット本体部の裏面に滑り防止材を重ね合わせたマット本体の周囲の一部或は全周に蓄光縁とりテープを周設してなる床用マットである。
【考案の効果】
【０００５】
本考案の効果として、停電時などの暗い室内でも床用マットのありかを目視できるようになり安全な生活環境ができる。
【図面の簡単な説明】
【０００６】
【図１】本考案に係る床用マットの部分平面説明図。
【図２】床用マットの部分拡大断面説明図
【実施例】
【０００７】
本案を図示の実施例により詳記すると、表面のマット本体部１とこのマット本体部１の裏面に滑り防止材２を重ね合わせたマット本体３の周囲の一部或は全周に蓄光縁とりテープ４を周設してなるものである。
【０００８】
蓄光縁とりテープ４の周設方法としては、図２のように蓄光縁とりテープ４でマット本体３の縁を表裏から覆うって逢着するようにしても、又図示しないがマット本体３の表面縁にのみ逢着等の手段により周設してもよい。  
【符号の説明】
【０００９】
１：マット本体部
２：滑り防止材
３：マット本体
４：蓄光縁とりテープ
【図１】
0003176507.tif 000003
【図２】
0003176507.tif 000004
(57)【要約】      （修正有）【課題】着用時に眼鏡が曇るのを防ぐマスクを提供する。【解決手段】マスクの前面にもう１枚の不織布からなるカバーを溶着固定し、マスクとカバー間に空間を作り、空気の層により呼気の上昇を防ぐ。【選択図】図３
0003176570.tif 000002
【実用新案登録請求の範囲】
【請求項１】
マスク前面から漏れ出る呼気の上昇を防ぐために、マスクの前面にもう１枚の不織布（以下、カバーと称す）を溶着固定する。
【請求項２】
カバーの形状は上辺長より下辺長が長い、台形の形状で、マスクとカバー間の中央部が盛り上がった空間を作る構造である。  空間の大きさは下辺長を調整することにより可能となる。
【請求項３】
マスクとカバー間の空間を大きくするために、空間に清浄綿等をはさんで広げる。
【請求項４】
平面形、プリーツ形、立体形マスクのいずれにも対応する。
【考案の詳細な説明】
【技術分野】
【０００１】  本考案は、眼鏡が曇らないためのマスクに関する。
【背景技術】
【０００２】  従来のマスクには、眼鏡が曇らないように鼻の突起部とマスクの隙間をふさぐノーズフィットと称される、ワイヤもしくはスポンジ等で鼻の突起形状に合わせてマスクを顔面に密着させ、呼気がマスク上部から漏れないようにする方法がある。  しかし、この方法では眼鏡レンズの曇り止めとしては不十分である。
【考案の概要】
【考案が解決しようとする課題】  マスクをした場合に眼鏡が曇るのは、冷たい眼鏡レンズの両面（外面、内面）、もしくは外、内面のいずれかに水分を含んだ暖かい呼気が接触することにより、細かい水滴がレンズ表面（両面）につくことによるものである。  呼気が漏れ出る方向は２つあり、１つは鼻の突起部を中心とした上方向への呼気がレンズの内面に接触する、もう１つはマスクを通して前面から出た暖かい呼気が上昇してレンズの外面に接触する、というものである。
１つ目のマスク上部から漏れ出る呼気についてはノーズフィットでほぼ対応でき、レンズ内面の曇りを防げる。
本考案は、２つ目の、マスク前面から漏れ出る呼気が上昇してレンズ外面の曇りとなるのを防ぐ対策を考えたものである。    マスクの性質上、呼吸のしやすさを考慮しなくてはならないが、呼吸のしやすさを変えずに呼気が下方向へ排出されるようにした。
【課題を解決するための手段】  マスク前面から呼気が漏れ、上昇するのを防ぐため、マスクの前面にもう１枚の不織布、（以下、カバーと称す）を溶着固定する。
カバーのサイズはマスクと同じ上辺長とし、左右縦辺の長さはほぼマスクの８５％程度とし、マスクからはみ出ない寸法とする。    また、下辺については上辺長より約２０ｍｍ  ほど長い台形状とし、左右縦辺から中央に約１０ｍｍ  ずっ寄せて、中央部に空間ができ盛り上がるようにする。
空間の大きさの調整はこの台形状のカバーの下辺の長さを変えることで可能となる。
また、マスクとカバーの間により大きな空間を作りたい場合、清浄綿等を間にはさむことにより容易に可能となる。
【考案の効果】  マスクの前面にもう１枚のマスクを溶着するイメージではあるが、カバーによる空間を作ることで呼吸のしにくさもなく、構造が簡単で容易に量産もできる。    また、眼鏡の曇り止め効果以外にもマスク本来の機能である、花粉、ホコリ、ウイルス等の吸入防止効果も増大する。
【図面の簡単な説明】
【図１】カバーを溶着する前のマスクの前面図である。
【図２】マスク前面に溶着するカバーの前面図である。
【図３】カバーを前面に溶着したマスクの前面図である。
【図４】カバーを前面に溶着したマスクの後面図である。
【図５】カバーを前面に溶着したマスクを上からみた図である。
【図６】カバーを前面に溶着したマスクを斜め下より見た図である。
【図７】カバーを前面に溶着したマスクを横からみたイメージ断面図である。
【考案を実施するための形態】
一般に流通している不織布製の衛生マスクをベースに、同じ不織布製のカバーを溶着する、という考案なので実施するのは極めて容易である。
マスクとカバーの間に空間を作り、呼気がマスク前面から漏れ出ないようにするのがポイントであり、そのための工夫がマスク下辺長よりもカバー下辺長が長い、台形のカバー形状となる。    この考案で、平面形、プリーツ形、立体形のいずれの形状のマスクにも対応できる。
以下、図を用いて説明する。
「図１」のマスクの前面に「図２」のカバーを溶着した形状が「図３」である。
溶着部分は、「図３」の「Ａ＆Ａ１」と「Ｂ＆Ｂ１」の間  「Ｅ」
「Ａ＆Ａ１」と「Ｃ＆Ｃ１」の間  「Ｆ」
「Ｂ＆Ｂ１」と「Ｃ＆Ｃ１」の間  「Ｇ」
それにより、「図６」の「Ｈ」のような空間を作り出すことが出来る。
【符号の説明】１．「Ａ」「Ａ１」「Ｂ」「Ｂ１」「Ｃ」「Ｃ１」「Ｄ」「Ｄ１」
「Ａ＆Ａ１」「Ｂ＆Ｂ１」「Ｃ＆ＣＡ１」「Ｄ＆Ｄ１」は、マスクとカバーの溶着位    置を示す。
Ａは、Ａ１の位置に合わせて溶着する。「Ａ＆Ａ１」
Ｂは、Ｂ１の位置に合わせて溶着する。「Ｂ＆Ｂ１」
Ｃは、Ｃ１の位置に合わせて溶着する。「Ｃ＆ＣＡ１」
Ｄは、Ｄ１の位置に合わせて溶着する。「Ｄ＆Ｄ１」
２．「Ｅ」「Ｆ」「Ｇ」は、溶着部分を示している。
Ｅは、「Ａ＆Ａ１」と「Ｂ＆Ｂ１」の間の溶着を示す。
Ｆは、「Ａ＆Ａ１」と「Ｃ＆Ｃ１」の間の溶着を示す。
Ｇは、「Ｂ＆Ｂ１」と「Ｃ＆Ｃ１」の間の溶着を示す。
３．「Ｈ」は、空間を示す。
【図１】
0003176570.tif 000003
【図２】
0003176570.tif 000004
【図３】
0003176570.tif 000005
【図４】
0003176570.tif 000006
【図５】
0003176570.tif 000007
【図６】
0003176570.tif 000008
【図７】
0003176570.tif 000009
【手続補正書】
【提出日】平成24年3月28日(2012.3.28)
【手続補正１】
【補正対象書類名】実用新案登録請求の範囲
【補正対象項目名】全文
【補正方法】変更
【補正の内容】
【実用新案登録請求の範囲】
【請求項１】
マスク前面から漏れ出る呼気の上昇を防ぐために、マスクの前面にもう１枚の不織布（以下、カバーと称す）を溶着固定した眼鏡が曇らないマスク。
【請求項２】
カバーの形状は上辺長より下辺長が長い、台形の形状で、マスクとカバー間の中央部が盛り上がった空間を作る構造であり、空間の大きさは下辺長を調整することにより可能となることを特徴とする請求項１記載の眼鏡が曇らないマスク。
(57)【要約】【課題】  電磁波によって食材とともに迅速に加熱され、両方が相俟って調理の迅速化を図ることができるとともに直火使用も可能な電子レンジ用耐熱食器であって、食材から余計な脂を落としてヘルシーな調理ができる電子レンジ用耐熱食器を提供する。【解決手段】  珪石、カリ長石及びカリオンからなる陶磁器はい土に、スポジュメン、リチウム長石、マイカ及び鉄粉を混合し水を添加して食器形状に成形し、焼成してなる電子レンジ用耐熱食器１であって、内部底面３に凹凸が連続的に形成されている。好ましくは、前記内部底面３の中央部が盛り上がっている。【選択図】  図２
0003176589.tif 000002
【実用新案登録請求の範囲】
【請求項１】
珪石、カリ長石及びカリオンの陶磁器はい土に、スポジュメン、リチウム長石、マイカ及び鉄粉を混合し水を添加して食器形状に成形し、焼成してなる電子レンジ用耐熱食器であって、内部底面に凹凸が連続的に形成されていることを特徴とする電子レンジ用耐熱食器。
【請求項２】
珪石７重量％、カリ長石６重量％、カリオン７重量％、スポジュメン３５重量％、リチウム長石１５重量％、マイカ１０重量％、鉄粉２０重量％からなる請求項１に記載の電子レンジ用耐熱食器であって、前記内部底面の中央部が盛り上がっていることを特徴とする電子レンジ用耐熱食器。
【考案の詳細な説明】
【技術分野】
【０００１】
本考案は、電子レンジ用耐熱食器に関する。
【背景技術】
【０００２】
従来、炭化珪素を主材とし、焼結材、低膨張焼結材及び成形保持材、水を添加混合して皿上に成形し、焼成してなる電子レンジ用耐熱皿が提案されている（特許文献１）。
【０００３】
前記電子レンジ用耐熱皿は、電子レンジによる電磁波を受けると皿上の食材が電磁波によって直接加温されると同時に上記皿の炭化珪素の振動による皿の急熱高温化が瞬間的に行われ、食材の焼成時間を短縮し、かつ食材の食味を低下せず、迅速に調理し得る効果がある、とされている。
【先行技術文献】
【特許文献】
【０００４】
【特許文献１】特許第３６５０３７３号公報
【考案の概要】
【考案が解決しようとする課題】
【０００５】
本考案は、電磁波によって迅速に加熱されて調理の効率化を図ることができるとともに直火使用も可能な電子レンジ用耐熱食器であって、食材から余計な脂を落としてヘルシーな調理ができる電子レンジ用耐熱食器を提供することを目的とする。
【課題を解決するための手段】
【０００６】
前記目的を達成するために、本考案の電子レンジ用耐熱食器は、珪石、カリ長石及びカリオンからなる陶磁器はい土に、スポジュメン（リチウム輝石）、リチウム長石、マイカ（雲母）に鉄粉を混合し水を添加して食器形状に成形し、焼成してなる電子レンジ用耐熱食器であって、内部底面に凹凸が連続的に形成されていることを特徴とする（請求項１）。
【０００７】
前記本考案の電子レンジ用食器では、珪石は耐火材として、カリ長石は焼成温度を下げる媒溶材として、また、カリオンは成形材として混合される。また、スポジュメン（リチウム輝石）及びリチウム長石は低膨張材料として混合され、マイカ（雲母）は焼成温度を下げる媒溶材として混合され、鉄粉は発熱材として混合される。
【０００８】
前記電子レンジ用耐熱食器は、鉄粉を混合したことにより電磁波によって食品とともに迅速に加熱され、したがって調理の効率化を図ることができるとともに加熱によりひび割れを生じることがなく直火使用も可能である。また、内部底面に凹凸が連続的に形成されているので、調理中に食材から出る脂分が前記凹部に溜まり、ヘルシーな料理ができ上がる。
【０００９】
本考案の好ましい実施の一形態は、珪石７重量％、カリ長石６重量％、カリオン７重量％、スポジュメン３５重量％、リチウム長石１５重量％、マイカ１０重量％、鉄粉２０重量％よりなる請求項１に記載の電子レンジ用耐熱食器であって、前記内部底面の中央部が盛り上がっていることを特徴とする（請求項２）。
【００１０】
この実施の一形態によれば、調理に迅速にでき、直火使用が可能な高品質の電子レンジ用耐熱食器を提供することができる。さらに、前記内部底面の中央部が盛り上がっているので、食材から出る脂分が前記内部底面の両側に流れて溜まる。このため、食材への脂分の付着が確実に防止できる。
【図面の簡単な説明】
【００１１】
【図１】本考案の実施の一形態に係る電子レンジ用耐熱食器の平面図である。
【図２】図１のＩＩ−ＩＩ矢視断面図である。
【図３】図２のＩＩＩ−ＩＩＩ矢視断面図である。
【考案を実施するための形態】
【００１２】
以下に、本考案の実施の一形態を説明する。
【００１３】
本考案の電子レンジ用耐熱食器は、珪石、カリ長石及びカリオンの陶磁器はい土に、スポジュメン、リチウム長石、マイカ及び鉄粉を混合し水を添加して食器形状に成形し、焼成して構成される。すなわち、本考案では、発熱材として鉄粉が混合される。
【００１４】
具体的には、陶磁器はい土として、珪石７重量％、カリ長石６重量％、カリオン７重量％が準備され、該陶磁器はい土にスポジュメン３５重量％、リチウム長石１５重量％、マイカ１０重量％及び鉄粉２０重量％を均一に混合し、さらに水を添加して食器形状に成形し、焼成を行ことにより本考案の電子レンジ用耐熱食器が完成する。なお、焼成温度は１２５０℃である。前記電子レンジ用耐熱食器は、電子レンジはもとより直火使用も可能である。
【００１５】
図１に示すように、前記電子レンジ用耐熱食器１に肉や魚等の調理用食材２を載せて、それを電子レンジで調理する。具体的には、例えば、電子レンジで予め加熱した電子レンジ用耐熱食器１に調理用の食材２を載せ、それを電子レンジに入れて必要な時間だけ加熱する。その後、電子レンジ用耐熱食器１を電子レンジから一旦取り出し、食材２を裏返して再度加熱する。これで調理が完了するので、前記電子レンジ用耐熱食器１を電子レンジから取り出して、そのまま食器として用いる。
【００１６】
図２に示すように、前記電子レンジ用耐熱食器１の内部底面３には凹凸が連続的に形成されている。すなわち、前記内部底面に多数の凸条４が平行に形成され、隣接する凸条４，４同士の間に溝５が形成されている。前記内部底面３に前記食材２を載置すると、前記凸条４の集合が前記食材２を支える。前記溝５は、調理中に肉や魚等の食材から出る脂分を溜める作用を奏する。食材から出る脂分が前記溝５に溜まり、食材に脂分のべたつきがないので、ヘルシーな料理ができ上がる。
【００１７】
さらに、図２及び図３に示すように、前記内部底面３の中央部が盛り上がっているので、食材から出る脂分が前記溝５に沿って移動し、前記内部底面３の両側に流れて溜まる。このため、食材への脂分の付着が確実に防止できる。
【符号の説明】
【００１８】
１    電子レンジ用耐熱食器
３    内部底面
４    凸条
５    溝
【図１】
0003176589.tif 000003
【図２】
0003176589.tif 000004
【図３】
0003176589.tif 000005
(57)【要約】      （修正有）【課題】動きやすく、かつ蒸れなく、また水に浮くヘルメットと一体構造のライフジャケットを提供する。【解決手段】発砲スチロールや発泡ウレタン等の浮遊素材を布等でくるんで作られたヘルメット１と、同素材を使用し、小さなブロックをつくり、そのブロック一つ一つを布等でくるみ、更にそのブロックを縫い合わせ又は圧着し、浮遊式衝撃吸収ライフジャケット２をつくり、更に前記したヘルメット１の布部分と当該ライフジャケット２の布部を縫い合わせ又は圧着して一体化する。一体化された浮上式ヘルメットと浮上式ライフジャケットは津波等の際、身体を浮上させるとともに、頭部と身体を障害物等と衝突した際の衝撃から守り、更にライフジャケット１を浮上物質とすることにより、浮上物質のすき間から空気が入るので、蒸れなく活動もしやすいことを特徴とする。【選択図】図１
0003176579.tif 000002
【実用新案登録請求の範囲】
【請求項１】
発砲スチロールや発泡ウレタン等の浮遊素材を布等でくるんで作られたヘルメットと、同素材を使用し、小さなブロック７をつくり、そのブロック一つ一つを布等８でくるみ、更にそのブロックを縫い合わせ又は圧着９し、浮遊式衝撃吸収ライフジャケットをつくり、更に前記したヘルメットの布の部分と当該ライフジャケットの布部を縫い合わせ又は圧着して一体化したことを特徴とする浮遊式衝撃吸収ライフジャケット。
【考案の詳細な説明】
【技術分野】
【０００１】  本公案は、浮遊式ヘルメットと一体となった素材が水に浮くセパレート構造の衝撃吸収ライフジャケット【０００２】津波の時、水に巻きごまれ、水面に浮上することが難しく、水死したり、更に、がれきや障害物と激突し、その衝撃でけがをしたり、死亡してしまったりした。
【考案の概要】
【考案が解決しようとする課題】
【０００３】従来のライフジャケットは、全体が一体化されていて非常に動きにくく、身体に接する面が広いため、蒸れてしまった。又身体は浮いても頭部が瓦礫や落下物等の障害物から守られず、頭部の保護対策はヘルメットをかぶる以外になく、従来のヘルメットは浮力がなく、水没してしまった。
【課題を解決するための手段】
【０００４】本考案は発砲スチロールや発泡ウレタン等の浮遊素材を布等でくるんで作られたヘルメットと、同素材を使用し、小さなブロック７をつくり、そのブロック一つ一つを布等８でくるみ、更にそのブロックを縫い合わせ又は圧着９し、浮遊式衝撃吸収ライフジャケットをつくり、更に前記したヘルメットの布部分と当該ライフジャケットの布部を縫い合わせ又は圧着して一体化する。一体化された浮上式ヘルメットと浮上式ライフジャケットは津波等の際、身体を浮上させるとともに、頭部と身体を障害物等と衝突した際の衝撃から守り、更にライフジャケットの浮上物質をすることにより、浮上物質のすき間から空気が入るので、蒸れなく活動もしやすいことを特徴とする。
【考案の効果】
【０００５】津波の際、水から浮上するとともに、ヘルメットと一体化されたライフジャケットが瓦礫や障害物と激突した時の衝撃から身体を守る。又、ライフジャケットの浮遊素材は、３ｃｍ〜２５ｃｍ角程度に裁断された発泡スチロール又は発砲ウレタン等をもちい、この素材を布等にくるんで、その布部分を縫い合わせ又は圧着することにより、縫い合わせ又は圧着部のすき間から空気が入るので蒸れなくなる。
【図面の簡単な説明】
【０００６】
【図１】本考案の浮遊式ヘルメットと一体型セパレート式ライフジャケットの実施例を示す正面図である。
【図２】本考案の浮遊式ヘルメットと一体型セパレート式ライフジャケットの側面図である。
【図３】本考案の浮遊式ヘルメットと一体型セパレート式ライフジャケット部分の背面面図である。
【図４】本考案の布等でくるんだ浮遊素材縫い合わせ又は圧着する部分の断面図である。
【本考案を実施する為の形態】
【０００７】発砲スチロール又は発砲ウレタン等の素材で作られたヘルメットを布等でくるみ、水に浮く衝撃吸収ヘルメットを作り、また当該と同素材を３〜２５ｃｍに裁断し、布でくるんで縫い合わせ又は圧着して通気性のある行動しやすいライフジャケット作る。このライフジャケットの首に当たる部分の素材は１５ｃｍ〜４０ｃｍと使用する年齢や体重によって異なる。更に前記したヘルメットとライフジャケットの布等の部分を縫い合わせ又は圧着して一体化し、水難時に身体を水上に浮かせると同時に障害物等と激突した際、その衝撃を和らげ、頭部と上半身をその衝撃から守るヘルメット一体型のライフジャケット。
【符号の説明】
【０００８】１    発砲スチロールや発砲ウレタン等の浮遊素材を布等で覆って作ったヘルメット
２    発砲スチロールや発泡ウレタン等の浮遊素材を小さなブロックにし、布等でくるみ、つなぎ合わせてるように縫いこんだライフジャケット
３    ライフジャケットの一部で首周り部分を大体積の発砲スチロール又は発泡ウレタン素材で縫い込んだ部分
４    ジッパー
５    閉めひも
６    あごひも
７    発砲スチロール又は発砲ウレタン等の浮遊素材
８    浮遊素材をくるむぬの等
９    浮遊素材をくるんだ布等を縫い合わせ又は圧着した部分
１０  ヘルメットとライフジャケットの布等の部分を縫い合わせ又は圧着した部分
【図１】
0003176579.tif 000003
【図２】
0003176579.tif 000004
【図３】
0003176579.tif 000005
【図４】
0003176579.tif 000006
【図５】
0003176579.tif 000007
【手続補正書】
【提出日】平成24年4月26日(2012.4.26)
【手続補正２】
【補正対象書類名】明細書
【補正対象項目名】０００６
【補正方法】変更
【補正の内容】
【０００６】
【図１】本考案の浮遊式ヘルメットと一体型セパレート式ライフジャケットの実施例を示す正面図である。
【図２】本考案の浮遊式ヘルメットと一体型セパレート式ライフジャケットの側面図である。
【図３】本考案の浮遊式ヘルメットと一体型セパレート式ライフジャケットの背面図である。
【図４】本考案の布等でくるんだ浮遊素材を縫い合わせ又は圧着する部分の断面図である。
【図５】本考案の浮遊式ヘルメットとセパレート式ライフの縫い合わせ部分の断面図である。
(57)【要約】      （修正有）【課題】靴を履いて動いている間に靴紐の結び目が解けることのないようにする靴紐ストッパーを提供する。【解決手段】底部３の奥の側面から上方に立ち上がり、そこからＲ形状で手前に曲げられ、先端に向かって徐々に傾斜し、先端近傍の緩やかな曲げ形状の下側と底部３の上面とに小さい隙間ができるように形成する一対の弾性部２を設ける。さらに、この一対の弾性部２と底部３との間に、結んだ靴紐４の結び目５両側の紐束を挟むように装着することによって、靴を履いている間に結び目が解けない構造を有し、樹脂製の単体形状であることを特徴として靴紐ストッパーを形成する。【選択図】図１
0003176578.tif 000002
【実用新案登録請求の範囲】
【請求項１】
結んだ靴紐の結び目に装着し、靴を履いている間にその結び目が解けない構造を有し、樹脂製の単体形状であることを特徴とする靴紐ストッパー。
【請求項２】
靴紐ストッパーの弾性部に穴部を設け、そこに嵌合する飾りを装填できることを特徴とする請求項１の靴紐ストッパー。
【考案の詳細な説明】
【技術分野】
【０００１】  本考案は、結んだ靴紐の結び目に装着し、靴を履いて動いている間にその結び目が解けることのないようにする靴紐ストッパーに関するものである。
【背景技術】
【０００２】  従来は、靴紐を結ぶ前段階で左右の紐それぞれを、さまざまな固定方法の固定具によって緩まないようにした後に紐を結ぶものや、結び目をゴム製のもので覆って紐が解けないようにしたとする先行技術（特開２００５−２１８８１３）がある。
【考案の概要】
【考案が解決しようとする課題】
【０００３】  結び目が緩んだり解けたりすると、履いている靴が本来の機能から逸脱して安全が損なわれることになったり、何度も紐を結び直すことの煩わしさが発生する。
また、先行技術（特開２００５−２１８８１３）に見られるように、着目するところが結び目であることは同じではあるが、二つ折り形状のゴム製のものを取り付ける際、結び目を所定のところに置き、上下の嵌合凹凸を一致させて蓋をすることになるので着脱に手間が掛かることになる。
【課題を解決するための手段】
【０００４】  本考案の靴紐ストッパーは、同形一対の弾性部と底部とを一体化した樹脂製の単体形状でできており、１対の弾性部の間に靴紐の結び目を差し込むという簡単な操作で靴紐が解けない状態を達成できる。
【考案を実施するための形態】
【０００５】  図１は、本考案の靴紐ストッパー１と靴紐４を示し、靴紐ストッパー１の一対の弾性部２の間に靴紐の結び目５を差し込むと、同時に結び目５の両側の紐束が靴紐ストッパー１の弾性部２と底部３の間に差し込まれ、図２に示すように、靴紐ストッパー１が装着された状態となる。靴紐ストッパー１を外す時はその逆の操作をすれば良い。
【０００６】  図３は、靴紐ストッパー１に一対の穴部７を設けた飾り受け靴紐ストッパー６を示す。図４は、図２と同じように結んだ靴紐４に飾り受け靴紐ストッパー６が装着されたところに、飾り受け靴紐ストッパー６の穴部７に飾り８の嵌合部９が向かっている状態を示す。図５は、飾り受け靴紐ストッパー６に飾り８が装填された後の外観を示す。図６は、飾り受け靴紐ストッパー６と飾り８との嵌合の詳細を示すもので、嵌合部９が穴部７に嵌合する際、嵌合部９の突起部１０が穴部７の嵌合内面に押されて突起部１０を含む樹脂片１１が内側に弾性変形して押し込まれ、嵌合後飾り受け靴紐ストッパー６の弾性部１２の下側に突起部１０が現れて弾性変形を戻し飾り８を保持できるようにしている。飾り８を外す時はその逆の操作を行えば良い。また、飾り受け靴紐ストッパー６を外す時は、靴紐ストッパー１と同様である。
【考案の効果】
【０００７】  従来の色々な紐固定具を使って紐の緩みを防止する手段に比べ、本考案は靴紐を結んだ後に素早く装着でき、煩わしさを排除できる。
簡単な構造なので、簡単な操作で色々な飾りを装填することが可能で、装飾品を兼ねた製品として提供できる。
【図面の簡単な説明】
【０００８】
【図１】本考案の靴紐ストッパーと靴紐を示す図。
【図２】靴紐に靴紐ストッパーを装着した図。
【図３】飾り受け靴紐ストッパーを示す図。
【図４】靴紐に飾り受け靴紐ストッパーを装着したものと飾りを示す図。
【図５】飾り受け靴紐ストッパーに飾りが装填された後の外観を示す図。
【図６】飾り受け靴紐ストッパーと飾りとの嵌合の詳細図。
【符号の説明】
【０００９】１    靴紐ストッパー
２    弾性部
３    底部
４    靴紐
５    結び目
６    飾り受け靴紐ストッパー
７    穴部
８    飾り
９    嵌合部
１０  突起部
１１  樹脂片
１２  弾性部
【図１】
0003176578.tif 000003
【図２】
0003176578.tif 000004
【図３】
0003176578.tif 000005
【図４】
0003176578.tif 000006
【図５】
0003176578.tif 000007
【図６】
0003176578.tif 000008
【手続補正書】
【提出日】平成24年4月19日(2012.4.19)
【手続補正１】
【補正対象書類名】実用新案登録請求の範囲
【補正対象項目名】全文
【補正方法】変更
【補正の内容】
【実用新案登録請求の範囲】
【請求項１】
底部３の奥の側面から上方に立ち上がり、そこからＲ形状で手前に曲げられ、先端に向かって徐々に傾斜し、先端近傍の緩やかな曲げ形状の下側と底部３の上面とに小さい隙間ができるように形成する一対の弾性部２を設け、この一対の弾性部２と底部３との間に、結んだ靴紐４の結び目５両側の紐束を挟むように装着することによって、靴を履いている間に結び目が解けない構造を有し、樹脂製の単体形状であることを特徴とする靴紐ストッパー。
【請求項２】
請求項１の靴紐ストッパー１の弾性部２に一対の角穴を設けた弾性部１２の穴部７に、飾り８の嵌合部９を挿入することで飾り８を装填でき、さらに、嵌合部９に形成されている樹脂片１１に設けた突起部１０により、嵌合部９を取り外す際に樹脂片１１が弾性変形して嵌合部９が外れにくい構造を有し、穴部７が形成されている以外は請求項１の靴紐ストッパー１と同じ構造を持ち、樹脂製の単体形状であることを特徴とする靴紐ストッパー。
(57)【要約】      （修正有）【課題】常時保育の中で着用されている作業着であって、緊急時に子供に作業着を確実に握らせて歩くことができる取手が設けられた保育作業着を提供する。【解決手段】保育作業着の裏地の裾近くに布テープが間隔をあけて縫いつけられたものであり、縫いつけていない部分が取手になり、取手を持って歩くことでより安全に避難できることを特徴とする。【選択図】図３
0003176576.tif 000002
【実用新案登録請求の範囲】
【請求項１】
保育所などで着用する作業着であって、この作業着の裏地の裾近くに布テープが間隔をあけて縫い付けられ、縫っていない個所が取手になるようにした事を特徴とする保育作業着。
【考案の詳細な説明】
【技術分野】
【０００１】本考案は、保育所などにおいて、災害時等の緊急時に安全に移動する機能を兼ね備えた保育作業着に関する。
【背景技術】
【０００２】保育所などでは、いつ起きてもおかしくない災害に備えて、保育士が子供を避難移動させる際は避難用具を活用したり、手をつないだり、おんぶや抱っこをする方法がとられている。状況によっては避難用具を持ち出して使う余裕のない場合も想定され、その場合は保育士が体を張って避難誘導するしかない。しかしながら保育士が一度に避難誘導できる数は限られている。また着用している作業着の裾端をつまんだ状態を握らせて歩かせるのは手が抜けやすく安全ではない。【０００３】以上の事から避難用具を備える他に、保育作業着にも安全に避難できる機能を備えることが求められている。
また、特開２０１１−０１７１１２号公報には乳児を収納して避難、運搬する保育用作業着が提案されている。
【先行技術文献】
【特許文献】
【０００４】
【特許文献１】特開２０１１−０１７１１２
【考案が解決しようとする課題】
【０００５】上述の如く、作業着であるエプロンやスモックの裾端を握らせるだけでの避難は、手が抜けやすい危険があった。また、特開２００１−０１７１１２の保育作業着は乳児以外に効果がない。
【課題を解決するための手段】
【０００６】上述の目的を達成するため本考案は、常時着用している作業着の裾近くに布テープが間隔をあけて縫い付けられ、縫わない部分が取手になるようにした。
【考案の効果】
【０００７】緊急時において、複数の子供を避難させる際、着用している作業着に設けられた取手を握らせれば、より安全に歩くことができる。
【０００８】本考案は作業着の裏地の裾近くに設けるので、どんな形状の作業着でも設けることができ、普段着用して何ら見た目や着心地に違和感がない。
【０００９】また作業着をまくり、取手に保育士が指を入れて支えれば、即席で乳児向けの抱っこ布となる。日常の保育において用具を出す手間がいらず、すぐ使えるので重宝する。
【００１０】また取手を保育士が握りまくれば、袋状になり物を収納することもできる。
【００１１】作業着がエプロンの形状で、後ろに紐が付いているものであれば、紐を取手に通して結ぶ、あるいは結んだ紐を首にかけることで手を使わずに物を収納することもできる。
【００１２】以上のように本考案は、緊急時の他にも普段から多様な使い方ができる。
【００１３】また常時身につけているので、どの場所にいても活用できる。
【００１４】取手は数ヵ所設けられるので複数人の子供が握ることができる。
【図面の簡単な説明】
【００１５】
【図１】本考案保育作業着の裏面を広げたときの構成図である。
【図２】布テープ部分の拡大図である。
【図３】本考案保育作業着を着用し避難している時の使用状態図である。
【考案を実施するための形態】
【００１６】以下、本考案保育作業着の実地形態例を図面に基づき説明する。
本考案は、保育士の作業着の裏地の裾近くに布テープ１が間隔をあけて縫い付けられて構成される。布テープの素材は丈夫で洗える綿やポリエステルで作られている。一本の布テープを何か所も縫って使うことで取手が丈夫になる。
【００１７】布テープを縫う糸は縫い目が表地に出るので作業着と同系色にして目立たなくする。
【００１８】取手は握ることができる幅にする。
【００１９】本考案における布テープは、布地の裾近くに設けるだけなので作業着の形状は限定しない。
【００２０】本考案においては、縫い付け部分と取手部分が見分けやすくなるように取手部分に目印をつけてよい。また、表地に模様として目印をつけると一目でわかるので使いやすい。
【実施例】
【００２１】次に本考案の実地例を説明する。日常から保育作業着として着用し、抱っこ布や物を収納するなど必要に応じて取手を活用する。緊急時に避難する際、子供に取手を握らせて誘導する。【００２２】たとえば、図３で示すように本考案の保育作業着を着用すると、速やかに子共を避難させなければならない緊急事態が起きたとき、保育士は自分の可能な限り以上の数の子供を避難に導く事ができる。
【産業上の利用可能性】
【００２３】以上要するに、この考案によれば日常から保育作業着として着用し、抱っこ布や物を収納するなど必要に応じて取手を活用する事が出来る。さらに、緊急時に避難する際には、子供に取手を握らせて歩くことが出来る。
【符号の説明】
【００２４】１  布テープ
２  縫い目
３  取手
【図１】
0003176576.tif 000003
【図２】
0003176576.tif 000004
【図３】
0003176576.tif 000005
(57)【要約】      （修正有）【課題】軽量で、組立て及び解体が容易な、且つ取り扱い易い大きさを有するガーディニング及びインテリア材料に用いられるブロック式煉瓦を提供する。【解決手段】プラスチック複合材料を用い、中空箱状ブロックを形成、開口部と相対する面の突起と開口部中空内のリブとを勘合可能とし、成形体の外寸法が横幅８０ｍｍ×奥行き１６０ｍｍ×高さ５０ｍｍであり、突起の外寸法は直径４８ｍｍ×高さ２４ｍｍとする。【選択図】図３
0003176575.tif 000002
【実用新案登録請求の範囲】
【請求項１】
熱可塑性樹脂１５〜５０重量％及び天然由来の充填剤５０〜８５重量％の組成物を射出成形した平行六面体の成形体であって、その成形体の中央部が中空であり、その一面は開口しており、開口部に相対する面は平坦であるか、或いは他の開口部に勘合可能な、その面領域内に単数或いは複数の突起が形成され、成形体の外寸法が横幅８０ｍｍ×奥行き１６０ｍｍ×高さ５０ｍｍであり、突起の外寸法は直径４８ｍｍ×高さ２４ｍｍであることを特徴とするブロック式煉瓦。
【考案の詳細な説明】
【技術分野】
【０００１】  本考案は、仕切り、棚、鉢置き、床材等に用いられる多機能ブロック材料であり、家庭菜園分野、ガーディニング分野、ベランダ及びインドアガーディニング分野及びインテリア分野に関する。
【背景技術】
【０００２】  ガーディニング等に利用されている煉瓦ブロックは一般に重量があり、持ち運びに難があり、特に高層建築物のベランダ等で用いるためには不都合な面を有していた。コンクリートブロックも形状に変化は付けられるが重量的には煉瓦ブロックと類似している。木製の棚等は一度成形体にすると、作り直すことが煩雑で敬遠されることが多い。また通常のプラスチックは外観が十分に満足できないという欠点を有していた。【０００３】  上記課題を解決する試みとして、天然由来の材料を含むプラスチック複合材料を用い、一面が開口し、中央部が中空の平行六面体の箱状ブロックを形成し、組成物の溶融流動を規制し易いように薄肉構造とする成形体を提案している。この成形体は軽量であり、組立ても容易である。
しかしながら、その寸法については多くの検討がなされておらず、インドアガーディニング等での利用に適した寸法のものが望まれていた。
【先行技術文献】
【特許文献】
【０００４】
【特許文献１】実用新案登録第３１３８４６４号
【特許文献２】実用新案登録第３１３８４６５号
【考案の概要】
【考案が解決しようとする課題】
【０００５】  本考案では前記の問題点を考慮し、利用者の利用方法、持ち運び状況など実際の利用方法を十分に検討した結果、利用者に好ましい成形体の大きさがあることを見出した。そのため、聞き取り調査等を実施し、最適な成形体寸法を提供することを目的とした。
【課題を解決するための手段】
【０００６】  本考案では上記課題を解決するために、成形体の外寸法を横幅８０ｍｍ×奥行き１６０ｍｍ×高さ５０ｍｍとし、突起の外寸法を直径４８ｍｍ×高さ２４ｍｍと決定した。
【考案の効果】
【０００７】  本考案によれば成形体の外寸法を横幅８０ｍｍ×奥行き１６０ｍｍ×高さ５０ｍｍとし、突起の外寸法を直径４８ｍｍ×高さ２４ｍｍとすることで、利用者が最も取り扱い易い大きさの成形体を提供すると共に、成形体を中空箱状とすることで重量を大幅に低減でき、更に取り扱いが容易となった。例えば仕切り壁、床材、植木鉢の置き台等を容易に組立て、解体できる。
【図面の簡単な説明】
【０００８】
【図１】本考案におけるブロック式煉瓦の一実施例の上面概略図面である。
【図２】上記ブロック式煉瓦の下面概略図面である。
【図３】上記ブロック式煉瓦の側面概略説明図である。
【図４】上記ブロック式煉瓦の側面方向の断面概略図面である。
【考案を実施するための形態】
【０００９】  図１〜図４に本考案の実施例の１つを示す。なお本考案は該実施例に限定されるものではない。図１はブロック上面図、図２はブロック下面図、図３はブロック側面図、図４はブロック側面方向の断面図である。
この中空の箱状ブロック成形体は熱可塑性樹脂及び天然由来の材料からなる複合材料を射出成形することにより得られる。成形に際しては、通常用いられる酸化防止剤、安定剤、滑剤等を必要に応じて使用できる。
熱可塑性樹脂はポリプロピレン、ポリエチレン、ポリスチレン、ポリ塩化ビニル、ポリエステル、ポリ乳酸、ポリコハク酸等から選択できるが、ポリオレフィン、特にポリプロピレンが好ましい。天然由来の材料としては木材、好ましくは木材廃材を粉末化した木粉が好ましく、重量で３０〜８０％、好ましくは５０〜７０％を熱可塑性樹脂と混合し、一旦ペレット状にしたものを射出成形する。
中央が中空の箱状ブロック１は、その開口した面３に相対する面４の上に突起２を有する。この突起２は他のブロックの中空の空間内に設けられたリブ５が形成する壁の端面に嵌め込み、固定することができる。これを利用し複数のブロックを組立て、仕切り壁、棚等を容易に得ることができる。
成形は単数或いは複数の射出ゲート６及び／或いは６’から組成物を射出するが、薄肉の領域を流動する際、溶融組成物の不均一な流れに起因する不均質模様が成形体表面に付与される。
【実施例】  本考案の実施例を説明する。
【実施例１】
【００１０】  ポリプロピレン樹脂５０重量％、木質充填剤（平均粒径５００μｍの木粉）５０重量％からなる複合材料ペレットを原料とし、図１〜図４に示す箱状ブロック成形体を成形した。突起２は中空中央部に形成したリブ５が形成する中央空間部に勘合可能であり、複数組み合わせることにより棚等を容易に形成できた。
【実施例２】
【００１１】  ポリプロピレン３０重量％、木質充填剤（平均粒径５００μｍの木粉）７０重量％からなる複合材料ペレットを原料とし、図１〜図４に示す箱状ブロック成形体を成形した。実施例１と同じ操作により複数の成形体を合体させ、棚等を得ることができた。
【産業上の利用可能性】
【００１２】  本考案のブロック式煉瓦は、例えば、家庭菜園或いはガーディニング或いはインテリア分野で使用される仕切り壁、床材、枠材、置き台等広範な製品に応用できる。軽量のため取り扱いが容易であり、表面の不均質な模様が天然木材風外観を有していることが利点である。
【符号の説明】
【００１３】  １  ブロック式煉瓦、２  突起、３  開口部、４  開口部に相対する面、５  空間内のリブ、６  射出ゲート、６’  射出ゲート
【図１】
0003176575.tif 000003
【図２】
0003176575.tif 000004
【図３】
0003176575.tif 000005
【図４】
0003176575.tif 000006
(57)【要約】      （修正有）【課題】しゃもじに付着したごはん粒を釜の中に落とす炊飯釜を提供する。【解決手段】炊飯釜の口縁部下側に対し、内側に向かって中央先端が曲線で１０ｍｍ程度突き出され、しゃもじ巾の直線状で形成された突出部を設ける。【選択図】図２
0003176554.tif 000002
【実用新案登録請求の範囲】
【請求項１】
現在の炊飯釜は、ごはん取り出す口が円形で、しゃもじが横長直線形式のために両方の接点が出来ずしゃもじにごはん粒が取り残ってしまう欠点である。
【請求項２】
釜の上方口渕下側にしゃもじ巾の横長直線形状を１０ｍｍ位内側センターに突き出した形式のごはん粒カット（先端曲線）機能付を設けるカットされたごはん粒は釜の中に落ちるのである。
【請求項３】
釜を洗う時釜の内側センターに向って１０ｍｍ位突き出たカット（先端曲線）機能付は何の障害物とならず、洗う事が出来るのである。炊飯してごはんを食べた所、とてもおいしいごはんを食べることが出来たのである。
【考案の詳細な説明】
【技術分野】
【０００１】  本考案は炊飯釜に米粒カット（先端曲線）機能付を設けた炊飯釜に関するものである。
【背景技術】
【０００２】  従来、炊飯釜から、しゃもじでごはんを茶碗に取り入れた時、どうしても、ごはん粒がしゃもじに付着し取り残こり困っていた。
【考案の概要】
【考案が解決しようとする課題】
【０００３】  本考案は炊飯釜は円型口で、しゃもじは横直線形式のために両方の接点が出来ず、しゃもじにごはん粒が付着し取り残こり困っていた不便さと欠点を解決しようとするもので、長年の課題を解決する。
【課題を解決するための手段】
【０００４】  上記目的を達成するために、本考案は炊飯釜に内側上方口渕下側に適した位置に、しゃもじ巾で内側１０ｍｍ位突き出た横直線形状のカット（先端曲線）機能付を設けて問題点を解決している。
【考案の効果】
【０００５】  上述の様に本考案は炊飯釜に設けたカット（先端曲線）機能付でしゃもじに付着したごはん粒を残さずカットし釜の中にごはん粒が落ちる効果である。
【図面の簡単な説明】
【０００６】
【図１】カット（先端曲線）機能付正面図
【図２】カット（先端曲線）機能付斜面図
【図３】カット（先端曲線）機能付右側面図
【図４】カット（先端曲線）機能付平面図
【考案を実施するための形態】
【０００７】  炊飯釜口部分が円形で、しゃもじは平な直線形のために両方面が接することができず困っていた。しゃもじでごはんを茶碗に取り入れた後にごはん粒がしゃもじに付着し取り残こってしまう欠点があり、本考案は欠点を解決するためにカット（先端曲線）機能付を設けた釜である。
【実施例】
【０００８】  以下添付図面に従って―――実施例を説明する、１．炊飯釜にカット（先端曲線）機能付を設けた釜である、２．炊飯釜からしゃもじでごはんを茶碗に取り入れた時、しゃもじにごはん粒が付着し取り残こるのである、３．取り残こる欠点を解決するためにカット（先端曲線）機能付でカットされて釜の中に落ちるのである。
【符号の説明】
【０００９】１．炊飯釜．
２．カット（先端曲線）機能付取付位置．
３．カット（先端曲線）機能付形状．
【図１】
0003176554.tif 000003
【図２】
0003176554.tif 000004
【図３】
0003176554.tif 000005
【図４】
0003176554.tif 000006
【手続補正書】
【提出日】平成24年4月2日(2012.4.2)
【手続補正１】
【補正対象書類名】実用新案登録請求の範囲
【補正対象項目名】全文
【補正方法】変更
【補正の内容】
【実用新案登録請求の範囲】
【請求項１】
炊鈑釜の口緑部下側に対し、内側に向かって中央先端が曲線で１０ｍｍ程度突き出されしゃもじ巾の直線状で形成された突出部を設けたことを特徴とする炊鈑釜。
(57)【要約】      （修正有）【課題】美観を長期に渡り保つことができる持ち運び型電子機器を保護するケースを提供する。【解決手段】三層で構造され、最外層である第１層は、透明の熱可塑性樹脂からなり、中間層である第２層は、羽毛、木の葉、粒子、印刷物いずれか一つの材料又はいずれかの組み合わせからなり、最内層である第３層は、第１層と同じく熱可塑性樹脂からなり、第１層と第２層を密着させ、この三層が接合されて１〜３ｍｍの厚さとされ並びに一体に形成される。【選択図】図１
0003176559.tif 000002
【実用新案登録請求の範囲】
【請求項１】
本考案に係る保護ケースは三層構造からなる。第１層（最外層）は、透明の熱可塑性樹脂からなる。第２層（中間層）は、鳥の羽毛や木の葉、粒子、印刷物等の薄い材料からなる。第２層は美観を想起させるための重要な層である。第３層（最内層）は、第１層と同じく熱可塑性樹脂からなる。第３層は、第１層と第２層を密着させるための層である。この三層が接合されて少なくとも１〜３ｍｍの厚さとされ並びに一体に形成されることを特徴とするタッチパネル式携帯電話、タブレットＰＣ等を保護するケース。
【考案の詳細な説明】
【技術分野】
【０００１】本考案は携帯電話やタブレットＰＣ等持ち運び型電子機器を保護するためのケースに関する。
【背景技術】
【０００２】従来の持ち運び型電子機器用ケースには、熱可塑性樹脂、金属、木製、革製のケースなどが存在した。それらケースに転写などによりプリント等の表面処理を施し、美観を向上させている。従来のイラスト転写式ケースでは、構造上、イラストが最も外側に配置されていた。この従来のケースでは、外部との接触によりイラストが擦れ、剥がれ等によって美観が損なわれ、ケースの価値が下落するという問題があった。
【先行技術文献】
【実用新案文献】
【０００３】
【実用新案文献１】
実用新案登録第３０７９０１５号（Ｕ３０７９０１５）
【考案の概要】
【考案が解決しようとする課題】
【０００４】本考案の主要な目的は、美観を長期に渡り保つことができる携帯電話やタブレットＰＣ等持ち運び型電子機器を保護する３層構造によるケースを提供することにある。
【課題を解決するための手段】
【０００５】請求項１の考案は、３層構造からなる。第１層（最外層）は、透明の熱可塑性樹脂からなる。第２層（中間層）は、鳥の羽毛や木の葉、粒子、印刷物等の簿い材料からなる。第２層は美観を想起させるための重要な層である。第３層（最内層）は、第１層と同じく熱可塑性樹脂からなる。第３層は、第１層と第２層を密着させるための層である。この三層が接合されて少なくとも１〜３ｍｍの厚さとされ並びに一体に形成されることを特徴とするタッチパネル式携帯電話、タブレットＰＣ等を保護するケースとしている。
【考案の効果】
【０００６】本考案のケースは、［考案が解決しようとする課題］で指摘した問題点を解決している。
美観を想起させるイラストに該当する部分が第２層にあることで、外部と接触することがない。これにより、外部との接触等によりイラストが擦れ、剥がれ等の問題が発生しない。
また、全ての層を密着することで第２層が真空状態になり、鳥の羽毛や木の葉等の自然由来物質の酸化等による劣化を防ぎ、美観を長く保つことができ、ケースの価値の長寿命化を実現する。
【図面の簡単な説明】
【０００７】
【図１】本考案の成形体表示図である。
【考案を実施するための形態】
【０００８】第１層（最外層）は、透明の熱可塑性樹脂からなる。第２層（中間層）は、鳥の羽毛や木の葉、粒子、印刷物等の薄い材料からなる。第２層は美観を想起させるための重要な層である。第３層（最内層）は、第１層と同じく熱可塑性樹脂からなる。第３層は、第１層と第２層を密着させるための層である。この三層が接合されて少なくとも１〜３ｍｍの厚さとされ一体に形成されることを特徴とするタッチパネル式携帯電話、タブレットＰＣ等を保護するケースとされうる。
【実施例】
【０００９】図１に示したのはタッチパネル式携帯電話を例にした本考案の実施例である。図示したように、最外層１１、中間層１２、最内層１３を備え、最外層１１または最内層１３のいずれかの側面１１ａまたは１３ａに接着剤を塗布することにより、中間層１２を挟み込んだ形で最外層１１と最内層１３を接合する。【００１０】そのうち、前述の最外層１１と最内層１３には、熱可塑性樹脂（例えば透明ポリプロピレン）が使用され、中間層１２には自然に存在する鳥の羽毛や木の葉が採用される。
【符号の説明】
【００１１】１０  タッチパネル式携帯電話本体
１１  最外層
１２  中間層
１３  最内層
１１ａ  最外層の側面部
１３ａ  最内層の側面部
【図１】
0003176559.tif 000003
【手続補正書】
【提出日】平成24年3月28日(2012.3.28)
【手続補正１】
【補正対象書類名】実用新案登録請求の範囲
【補正対象項目名】全文
【補正方法】変更
【補正の内容】
【実用新案登録請求の範囲】
【請求項１】
三層で構造され、最外層である第１層は、透明の熱可塑性樹脂からなり、中間層である第２層は、羽毛、木の葉、粒子、印刷物いずれか一つの材料又はいずれかの組み合わせからなり、最内層である第３層は、第１層と同じく熱可塑性樹脂からなり、第１層と第２層を密着させ、この三層が接合されて１〜３ｍｍの厚さとされ並びに一体に形成されることを特徴とする持ち運び型電子機器を保護するケース。